(57)【要約】【課題】　　　口腔内における上顎または下顎を覆うことのない歯科用リテーナーの改善を図る。【解決手段】　歯の外側面に接触する唇側線のワイヤー１０４と、歯の内側面に適合する凹凸と両側クラスプ間架橋を備えたところの補強ワイヤーが埋め込まれた外形辺縁から４〜５ｍｍだけ残して大部をくりぬいた形をとる口蓋辺縁レジン床１０１とから成り、唇側のCクラスプ１００から延長された前記の補強ワイヤー１０２、口蓋後縁を横切る前記架橋ワイヤー１０３、歯列歯顎部付近に沿わせた前記の唇側線のワイヤー１０４は互いにろう着され、かつ、所定の前記辺縁レジン床１０１の内部に埋め込みされ、該歯列側のレジン辺縁は前歯部が歯顎部、臼歯部が歯冠豊隆部までとしてレジン厚を最小限にした。【選択図】　　図１
2004000719.tif 000002
【特許請求の範囲】
【請求項１】
歯の外側面に接触する唇側線のワイヤーと、歯の内側面に適合する凹凸と両側クラスプ間架橋を備えたところの補強ワイヤーが埋め込まれた外形辺縁から４〜５ｍｍだけ残して大部をくりぬいた形をとる口蓋辺縁レジン床とから成り、唇側のＣクラスプから延長された前記の補強ワイヤー、口蓋後縁を横切る前記架橋ワイヤー、歯列歯顎部付近に沿わせた前記の唇側線のワイヤーは互いにろう着され、かつ、所定の前記辺縁レジン床の内部に埋め込みされ、該歯列側のレジン辺縁は前歯部が歯顎部、臼歯部が歯冠豊隆部までとしてレジン厚を最小限にした上顎用歯科用リテーナーと、歯の外側面に接触する唇側線のワイヤーと、歯の内側面に適合する凹凸を備えたところの補強ワイヤーが埋め込まれた外形辺縁から４〜５ｍｍだけ残して大部をくりぬいた形をとる口蓋辺縁レジン床とから成り、唇側のＣクラスプから延長された前記の補強ワイヤー、歯列歯顎部付近に沿わせた前記の唇側線のワイヤーは互いにろう着され、かつ、所定の前記辺縁レジン床の内部に埋め込みされ、該歯列側のレジン辺縁は前歯部が歯顎部、臼歯部が歯冠豊隆部までとしてレジン厚を最小限にした下顎用歯科用リテーナーとから成る歯科用リテーナー。
【請求項２】
下顎用歯科用リテーナーが第一大臼歯をアダムスクラスプを用いたものである請求項１記載の歯科用リテーナー。
【請求項３】
下顎用歯科用リテーナーが第一大臼歯・最後臼歯を二股Ｃクラスプで囲んだものである請求項１記載の歯科用リテーナー。
【請求項４】
下顎用歯科用リテーナーが前歯部唇側のワイヤーにレジンを付加したものである請求項１記載の歯科用リテーナー。
【発明の詳細な説明】
【技術分野】
【０００１】
本発明は、歯科において矯正した歯を矯正した状態に固定するために歯に嵌着する歯科用リテーナー、詳しくは口腔内における上顎または下顎を覆うことのない歯科用リテーナーに関する。
【背景技術】
【０００２】
　従来からの歯科用リテーナーは、歯の外側面に接触する唇側線のワイヤーと歯の内側面に適合する凹凸を備えた合成樹脂部とよりなり、該ワイヤーと該合成樹脂部の凹凸との間の隙間部に歯を挿嵌することにより歯科用リテーナーを歯に嵌着するようにしたものであるが、このものにあっては、歯の内側に位置する合成樹脂部は適度の柔軟性を有することが必要である。しかして、上記従来の歯科用リテーナーは、このような柔軟性を有する合成樹脂部により歯に対する固定力（「固定力」とは歯を矯正した状態に固定する力をいうものとする。）を持たせるようにしているため、該合成樹脂部は必然的に大型化しており、厚く且つ広幅に形成されている。特に、上顎歯用リテーナーにおける合成樹脂部は口腔内における上顎（硬口蓋）のほぼ全体を覆っている。従来の歯科用リテーナーは、このような大型の合成樹脂部を備えているため、次のような問題が生じている。
違和感があり、装着感が悪い。
発音障害が生ずる。
食事の際に物が食べにくく、飲食物の味覚が損なわれる。
合成樹脂部は熱の伝導性が低いため、飲食物の温度を敏感に感ずることが
できない。
合成樹脂部は臭いが付き易く汚れやすいため、不快である。
合成樹脂部は大型の場合には割れやすい。
【０００３】
歯科用リテーナーは極めて長期間にわたって使用し続ける必要があるため、これらの問題は歯科用リテーナーの使用者にとっては深刻であるとして、ある出願では、叙上問題解決の提案をしている。
【０００４】
すなわち、図１５〜１９において、符号２１ａに示すものは上顎歯用リテーナー、符号２１ｂに示すものは下顎歯用リテーナーである。上顎歯用リテーナー２１ａは、上顎歯３ａ、３ａ…の外側面５ａ、５ａ…に接触するワイヤ部２３ａの両端２５ａ、２５ａを上顎歯３ａ、３ａ…の内側に位置する略Ｕ状の金属製支持部２７ａに連結し、該金属製支持部２７ａには上顎歯３ａ、３ａ…の内側面７ａ、７ａ…に適合する凹凸２９ａ、２９ａ…を備えた合成樹脂部３１ａを固定し、該ワイヤ部２３ａと該合成樹脂部３１ａの凹凸２９ａ、２９ａ…との間の隙間部３３ａに上顎歯３ａ、３ａ…を挿嵌するようにしたものである。一方、下顎歯用リテーナー２１ｂは、下顎歯３ｂ、３ｂ…の外側面５ｂ、５ｂ…に接触するワイヤ部２３ｂの両端２５ｂ、２５ｂを下顎歯３ｂ、３ｂ…の内側に位置する略Ｕ状の金属製支持部２７ｂに連結し、該金属製支持部２７ｂには下顎歯３ｂ、３ｂ…の内側面７ｂ、７ｂ…に適合する凹凸２９ｂ、２９ｂ…を備えた合成樹脂部３１ｂを固定し、該ワイヤ部２３ｂと該合成樹脂部３１ｂの凹凸２９ｂ、２９ｂ…との間の隙間部３３ｂに下顎歯３ｂ、３ｂ…を挿嵌するようにしたものである。
【０００５】
ワイヤ部２３ａ、２３ｂは一例としてコバルトクローム合金により形成する。金属製支持部２７ａ、２７ｂは例えばチタン合金、コバルトクローム合金、ＰＧＡ（白金合金）等により形成する。合成樹脂部３１ａ、３１ｂは例えばポリカーポネート、アクリル樹脂等の適度の柔軟性を備えた材料により形成する。
【０００６】
上顎歯用リテーナー２１ａにおける合成樹脂部３１ａには一端３５′を金属支持部２７ａに固定した金属製第一補強部材３５、３５を埋設している。
【０００７】
また、下顎歯用リテーナー２１ｂにおける合成樹脂部３１ｂには一端３７′を金属支持部２７ｂに固定した金属製第二補強部材３７、３７を貫通させ、該金属製第二補強部材３７、３７の他端３７′′を該合成樹脂部３１ｂより突出させている。
【０００８】
前記上顎歯用リテーナー２１ａにおける合成樹脂部３１ａには一端３９′を金属製支持部２７ａに固定した金属製第三補強部材３９、３９を貫通させ、該金属製第三補強部材３９、３９における合成樹脂部３１ａから突出した他端３９′′をワイヤ部２３ａに固定している。
【０００９】
　しかして、この歯科用リテーナーにおいては、合成樹脂部と略Ｕ状の金属支持部の両者を極めて薄くかつ狭幅のものとすることができる。したがって、これを上顎歯または下顎歯に取り付けたときでも、口腔内における上顎または下顎は該歯科用リテーナーにより覆われることがない。ゆえに下記の効果を発揮する。
違和感がなく、装着感が良い。
発音障害が生じない。
食事の際に物が食べ易く、飲食物の味覚が損なわれることはない。
熱の伝導性が低い合成樹脂部は極めて薄くかつ狭幅であるため、飲食物の
温度を敏感に感ずることができる。
臭いが付き易く、汚れやすい合成樹脂部は極めて薄くかつ狭幅であるため
、清潔である。
支持部は金属製であるため、丈夫である。
合成樹脂部は小型化されるため、割れが生ずるおそれはない。
【００１０】
　金属製第一補強部材３５は合成樹脂部を補強する。したがって、合成樹脂部は丈夫なものとなる。
【００１１】
　金属製第二補強部材３７の前記他端を歯の上面に係止させることにより、歯科用リテーナーは歯に対しより確実に固定される。
【００１２】
　金属製第三補強部材３９により、歯科用リテーナーを歯に対しより確実に固定することができる。
としている。
【特許文献１】特開平８−１６８５００号公報
【発明の開示】
【発明が解決しようとする課題】
【００１３】
　解決しようとする問題点は、以下列記の諸点である。
（１）「合成樹脂部と略Ｕ状の金属製支持部の両者を極めて薄くかつ狭幅のものとすることができる。」としているが、その内容は高価なチタン合金、コバルトクローム合金、ＰＧＡ（白金合金）等の扁平鍛造体の一方の端面に合成樹脂部の顎歯の内側面に適合する凹凸を備えた反対面を接続させる態様に固定（支持）（図１６、１７、１９）されてなるものである。
【００１４】
　この両部材の単なる貼り合わせ（合成樹脂部を金属製支持部でバックアップしたものと解される）のみをもっては合成樹脂部（金属製支持部についても同様）についての補強効果はあまり期待し得るものではない（金属製支持部２７ａに固定した金属製第一補強部材３５を横断させて埋設して合成樹脂部は補強されたと述べているが、か様な補強関係にはない）。
【００１５】
　しかして、材料費にかかるコストは高く、合成樹脂の減少度合も非合理的な補強のもとで大きなものではない。
（２）頻繁に着脱されるものを、口蓋部を覆う取付基盤を省略して歯列に沿う円弧状のワイヤーループ体で代替するとしたが、単なる板状の円弧状ループ枠
では繰り返し縦、横、上下に加わるねじれに対して永続的に耐えることは極めて困難であるという新たな問題が生じるが、かかる脆弱性についての補完手当てがない。
【００１６】
　本発明は叙上の事情に鑑みなされたもので、その目的とするところは、規格品のローコストな資材のみを用いて、かつ、合成樹脂部並びに金属製支持部の双方が共に有効に補強し合えて合成樹脂の使用量をが少なくし得、さらには、叙上の板状の円弧状ループ枠に補強の枠を加えて立体架構化して繰り返しのねじれに耐える強度と弾力性を備えた歯科用リテーナーを提供することにある。
【課題を解決するための手段】
【００１７】
　上記目的を達成するために、本発明の上顎歯科用リテーナーは、歯の外側面に接触する唇側線のワイヤーと、歯の内側面に適合する凹凸と両側クラスプ間架橋を備えたところの補強ワイヤーが埋め込まれた外形辺縁から４〜５ｍｍだけ残して大部をくりぬいた形をとる口蓋辺縁レジン床とから成り、唇側のＣクラスプから延長された前記の補強ワイヤー、口蓋後縁を横切る前記架橋ワイヤー、歯列歯顎部付近に沿わせた前記の唇側線のワイヤーは互いにろう着され、かつ、所定の前記辺縁レジン床の内部に埋め込みされ、該歯列側のレジン辺縁は前歯部が歯顎部、臼歯部が歯冠豊隆部までとしてレジン厚を最小限にした。
【００１８】
　また、本発明の下顎用歯科用リテーナーは、歯の外側面に接触する唇側線のワイヤーと、歯の内側面に適合する凹凸を備えたところの補強ワイヤーが埋め込まれた外形辺縁から４〜５ｍｍだけ残して大部をくりぬいた形をとる口蓋辺縁レジン床とから成り、唇側のＣクラスプから延長された前記の補強ワイヤー、歯列歯顎部付近に沿わせた前記の唇側線のワイヤーは互いにろう着され、かつ、所定の前記辺縁レジン床の内部に埋め込みされ、該歯列側のレジン辺縁は前歯部が歯顎部、臼歯部が歯冠豊隆部までとしてレジン厚を最小限にした。
【発明の効果】
【００１９】
　本発明にあっては、レジンにワイヤーが埋め込みされることで、互いに補強し合う合理性を発揮するので樹脂の使用量は所謂芯入りとなって大幅に低減する。また、ワイヤーはローコストな規格品で良いのでコスト上有利である。
【００２０】
　口蓋側の前歯部合成樹脂辺縁を舌でさわることにより舌の訓練が行える。
【００２１】
　口蓋後縁を横切るレジンバー（両側クラスプ間架橋）の存在で立体架構体となるため装着のリテーナーの沈下やねじれ、側方拡大した症例の後戻りを防ぎ、指示した適正な位置に装着ができ、繰り返しの着脱による外力でも適度な復元力を持つ。修理・修正も容易である。
【００２２】
　さらには、該レジンバーのバックアップで生じるレジン床部分の圧痕により患者の使用状況が認識できるという効果がある。
【発明を実施するための最良の形態】
【００２３】
　規格品のローコストな資材のみを用いて、かつ、合成樹脂部並びに金属製支持部の双方が共に有効に補強し合えて合成樹脂の使用量を少なくし得、さらには、叙上の板状の円弧状ループ枠に補強の枠を加えて立体架構化して繰り返しのねじれに耐える強度と弾力性を備えた歯科用リテーナーを実現した。
【実施例】
【００２４】
　図１は本発明の上顎用歯科用リテーナーの第一大臼歯をＣクラスプ１００で囲んだ基本的な形を示す。
【００２５】
歯の内側面に適合する凹凸を有するところの口蓋の辺縁レジン床１０１は、囲成枠状であり、これに、該Ｃクラスプ１００から歯の内側面に沿って延長された補強ワイヤー１０２が埋め込みされ、さらに、口蓋後縁を横切る（Ｃクラスプ１００、１００間に架設ろう着）架橋ワイヤー１０３が残りの辺に埋め込みされている。
【００２６】
歯列歯顎付近に沿わせてワイヤー１０４は該Ｃクラスプ１００にろう着される。
【００２７】
なお、この列では最後臼歯をＣクラスプ１００で囲む場合もある。
【００２８】
　図２は本発明の下顎用歯科用リテーナーの第一大臼歯をＣクラスプ１０５で囲んだ基本的な形を示す。
【００２９】
歯の内側面に適合する凹凸を有するところの口蓋の辺縁レジン床１０６は、Ｕ状に連続し、これに、該Ｃクラスプ１０５から延長された補強ワイヤー１０７が埋め込みされている。
【００３０】
歯列歯顎部付近に沿わせたワイヤー１０８が該Ｃクラスプ１０５にろう着される。
【００３１】
なお、この列では最後臼歯をＣクラスプ１０５で囲む場合もある。
【００３２】
ワイヤーに関しては、実際レジン床の中に埋め込まれるのでどの部分でろう着しても構わない。また、主線は０．９ｍｍ線、補助弾線は０．７ｍｍ線を使用しているが、ロングスパンであれば必要に応じて１．０ｍｍ線の主線を使用する場合もある。
【００３３】
図１４は本発明の上顎用のものでもって辺縁レジン床１０１、補強ワイヤー１０２、１０４の前歯部、臼歯部での相関を示したもので、合理的な相互補完による合成樹脂使用量低減度合を示したものである。
【００３４】
叙上の本発明の上顎用歯科用リテーナー、下顎用歯科用リテーナーには夫々多くのバリエーションがあり、以下紹介する。先ず上顎用には、以下の通りがある。
【００３５】
図３に示すものは第一大臼歯にアダムスクラスプ１０９を用いた形である。
【００３６】
図４は第一大臼歯・最後臼歯を二股Ｃクラスプ１１０で囲んだ形である。萌出途中の歯牙の咬合誘導が可能である。
【００３７】
図５は前歯部唇側のワイヤー１０４にレジン１１１を付加した形である。個々の歯牙のオーバートリートが可能であり、審美的にも有効である。
【００３８】
図６は、前歯・口蓋を横切るレジン床１０１の正中部分に切開部１１２、１１３を設け露出の補強ワイヤー１０２、架橋１０３にオメガループ１１４、１１５を付加した形である。成長にあわせて側方への拡大・縮小が可能なだけでなく、術後の拡大・縮小も可能である。
【００３９】
図７は、図６のものにおいて、前歯部の補強ワイヤー１０２とレンジ床１０１を切断した形である。成長にあわせて側方への拡大・縮小が可能なだけでなく、術後の拡大・縮小も可能である。
【００４０】
図８は、図１のものにおける前歯部のレジン床１０１の正中部分に切開部１１２を設け露出の補強ワイヤー１０２にオメガループ１１４をスポットとして付加した形である。スポットによる舌位の意識づけを強化するための形である。
【００４１】
図９は、口蓋側歯頚部付近に沿わせた補強ワイヤー１０２にレジンを切削のうえ補助弾線１１６、１１６をろう着した形である。個々の歯牙の咬合誘導が可能である。
【００４２】
次いで、本発明の下顎用歯科用リテーナーのバリエーションを紹介する。
【００４３】
図１０は第一大臼歯にアダムスクラスプ１１７を用いた形である。
【００４４】
図１１は第一大臼歯・最後臼歯を二股Ｃクラスプ１１０で囲んだ形である。
【００４５】
図１２は前歯部唇側のワイヤー１０８にレジン１１８を付加した形である。個々の歯牙のオーバートリートが可能であり、審美的にも有効である。
【００４６】
図１３は、図２のものにおける前歯部舌側レジン１０６を中央で分断し、レジン下部に拡大ワイヤー１１９を沿わせた形である。成長にあわせて側方への拡大・縮小が可能なだけでなく、術後の拡大・縮小も可能である。
【産業上の利用可能性】
【００４７】
歯科用リテーナーにおいて、レジン使用量の低減、ローコストなワイヤーの採用可により大幅なコストダウンが期し得る。また、口蓋後縁を横切るワイヤーの存在で沈下阻止、強度アップ等の顕著な効果が期し得る。
【図面の簡単な説明】
【００４８】
【図１】本発明の上顎用歯科用リテーナーの説明図である。
【図２】本発明の下顎用歯科用リテーナーの説明図である。
【図３】本発明の上顎用歯科用リテーナーのバリエーション説明図である。
【図４】本発明の上顎用歯科用リテーナーのバリエーション説明図である。
【図５】本発明の上顎用歯科用リテーナーのバリエーション説明図である。
【図６】本発明の上顎用歯科用リテーナーのバリエーション説明図である。
【図７】本発明の上顎用歯科用リテーナーのバリエーション説明図である。
【図８】本発明の上顎用歯科用リテーナーのバリエーション説明図である。
【図９】本発明の上顎用歯科用リテーナーのバリエーション説明図である。
【図１０】本発明の下顎用歯科用リテーナーのバリエーション説明図である。
【図１１】本発明の下顎用歯科用リテーナーのバリエーション説明図である。
【図１２】本発明の下顎用歯科用リテーナーのバリエーション説明図である。
【図１３】本発明の下顎用歯科用リテーナーのバリエーション説明図である。
【図１４】本発明のレジンとワイヤーの相関を示した説明図である。
【図１５】従来の歯科用リテーナーの説明図である。
【図１６】図１５中II−II線における断面図である。
【図１７】図１５中III−III線における断面図である。
【図１８】同上リテーナーの使用状態を示す説明図である。
【図１９】図１８中V−V線の断面図である。
【符号の説明】
【００４９】
３ａ　；　上顎歯
３ｂ　；　下顎歯
５ａ　；　上顎歯の外側面
５ｂ　；　下顎歯の外側面
７ａ　；　上顎歯の内側面
７ｂ　；　下顎歯の内側面
２１ａ　；　上顎歯用リテーナー
２１ｂ　；　下顎歯用リテーナー
２３ａ，ｂ　；　ワイヤ部
２５ａ，ｂ　；　ワイヤ部の両端
２７ａ，ｂ　；　金属支持部
２９ａ，ｂ　；　凹凸
３１ａ，ｂ　；　合成樹脂部
３３ａ，ｂ　；　隙間部
３５　；　金属製第一補強部材
３５′　；　一端
３７　；　金属製第二補強部材
３７′　；　一端
３７′′　；　他端
３９　；　金属製第二補強部材
３９′　；　一端
３９′′　；　他端
１００　；　Ｃクラスプ
１０１　：　レジン床
１０２　；　補強ワイヤー
１０３　；　架橋ワイヤー
１０４　；　ワイヤー
１０５　；　Ｃクラスプ
１０６　；　レジン床
１０７　；　補強ワイヤー
１０８　；　ワイヤー
１０９　；　アダムスクラスプ
１１０　；　二股Ｃクラスプ
１１１　；　レジン
１１２、１１３　；　切開部
１１４、１１５　；　オメガループ
１１６　；　補助弾線
１１７　；　アダムスクラスプ
１１８　；　レジン
１１９　；　拡大ワイヤー
【図１】
2004000719.tif 000003
【図２】
2004000719.tif 000004
【図３】
2004000719.tif 000005
【図４】
2004000719.tif 000006
【図５】
2004000719.tif 000007
【図６】
2004000719.tif 000008
【図７】
2004000719.tif 000009
【図８】
2004000719.tif 000010
【図９】
2004000719.tif 000011
【図１０】
2004000719.tif 000012
【図１１】
2004000719.tif 000013
【図１２】
2004000719.tif 000014
【図１３】
2004000719.tif 000015
【図１４】
2004000719.tif 000016
【図１５】
2004000719.tif 000017
【図１６】
2004000719.tif 000018
【図１７】
2004000719.tif 000019
【図１８】
2004000719.tif 000020
【図１９】
2004000719.tif 000021